(57)【要約】【課題】人体の腰，背中などの部位をスポット的に温めて、良好な温感が得られる温浴装置を提供する。【解決手段】湯を溜めることができる容器体１に、赤外線を発する熱源３と、熱源３からの赤外線を狭い範囲に集めて容器体１内に放射し得る集熱手段４，５，６を設けて構成する。【選択図】                図３
2004261529.tif 000002
【特許請求の範囲】
【請求項１】
湯を溜めることができる容器体に、赤外線を発する熱源と、該熱源からの赤外線を狭い範囲に集めて前記容器体内に放射し得る集熱手段を設けたことを特徴とする温浴装置。
【請求項２】
前記熱源が電球であり、前記集熱手段が反射鏡及び／またはレンズで構成されていることを特徴とする請求項１に記載の温浴装置。
【請求項３】
前記容器体が、浴槽あるいは足浴器あるいは洗面器であることを特徴とする請求項１または請求項２に記載の温浴装置。
【発明の詳細な説明】
【０００１】
【発明の属する技術分野】
この発明は、人体の腰，背中などの一定の部位を良好に温めることのできる温浴装置に関するものである。
【０００２】
【従来の技術及び発明が解決しようとする課題】
従来、特許文献１に、ファイバーケーブルを使用して外部から赤外線を浴槽内に導入する装置が開示されているが、ファイバーケーブルを使用する方法では、伝送される赤外線等の光線のエネルギー量は、ファイバーケーブルの本数や密度，直径の制約を受けるため、現実的には十分な温熱効果は期待できないものであった。
また、特許文献２及び特許文献３に開示されているような、平面発熱体を浴槽に設けた構成では、入浴時等において入浴者の身体が直接触れる場合には一定の効果が期待できるが、水や湯が介在する条件下では、良好な温熱効果が期待できないものであった。
【０００３】
【特許文献１】
特開２００２−１０２３０５号公報
【特許文献２】
特開平５−１７６８５３号公報
【特許文献３】
特開平８−１８７２６６号公報
【０００４】
【課題を解決するための手段】
本発明は上記従来の問題点に鑑み案出したものであって、水や湯が介在する条件下で、人体の腰，背中などの一定の部位を良好に温めることのできる温浴装置を提供せんことを目的とし、その第１の要旨は、湯を溜めることができる容器体に、赤外線を発する熱源と、該熱源からの赤外線を狭い範囲に集めて前記容器体内に放射し得る集熱手段を設けたことである。
また、第２の要旨は、前記熱源が電球であり、前記集熱手段が反射鏡及び／またはレンズで構成されていることである。
また、第３の要旨は、前記容器体が、浴槽あるいは足浴器あるいは洗面器であることである。
【０００５】
【発明の実施の形態】
以下、本発明の実施例を図面に基づいて説明する。
図１は、容器体である浴槽１の背側壁面の、入浴者の腰または背中の位置に対応する位置に温熱装置２，２を配置したものである。
また、図２においては、浴槽１の左右の側壁面に、それぞれ温熱装置２，２が設けられており、腕などをこの温熱装置２，２で温めることができるように構成したものである。
【０００６】
温熱装置２は、図３の断面拡大構成図で示すような構造となっている。
温熱装置２には、熱源としてハロゲン電球３が設けられており、このハロゲン電球３の奥側には、ハロゲン電球３から発せられる赤外線を浴槽１内に向けて集めることのできる集熱手段としての反射鏡４が設けられ、また、ハロゲン電球３の浴槽１内側には電球レンズ５が設けられて、この電球レンズ５と反射鏡４で密閉された空間内に前記ハロゲン電球３が配置されている。
【０００７】
なお、ハロゲン電球３を含む反射鏡４，電球レンズ５は、密閉ケース６内に収納されており、密閉ケース６は、耐熱性のある透明なガラス等で形成されて、その浴槽１内側はレンズ６ａを構成したものとなっている。
このレンズ６ａの部分はパッキン７を介在させて水密状に浴槽１内に突出して設けられており、密閉ケース６の円筒状の部分は浴槽１の壁面を貫通して外側に延び、この部分には外周に外周ネジ６ｂが形成され、また、先端側の内側には内周ネジ６ｃが形成されている。
外周ネジ６ｂに対し外側よりナット８を締め付けて、この密閉ケース６は浴槽１の壁面に水密状に固定されるものである。
また、密閉ケース６の裏側には、内周ネジ６ｃに螺合させてケース蓋９が取り付けられ、このケース蓋９からコード１０が引き出されており、コード１０を介し電力が前記ハロゲン電球３に供給されるように構成されている。
【０００８】
このような構成の温熱装置２においては、ハロゲン電球３が点灯されると、ハロゲン電球３から赤外線が発せられ、発せられた赤外線は反射鏡４で反射集光され、さらに、電球レンズ５及び密閉ケース６のレンズ６ａで集光されて、赤外線は狭い範囲に集められた状態で浴槽１内に放射され、入浴者の肩，腰などの一定の部位のみに赤外線を集中して当てることができるものとなる。
【０００９】
肩，腰などの一定の部位のみを赤外線で温めるだけで、その部位の周辺部についても良好な温感が得られることが知られており、温熱装置２からの狭い範囲に集められた赤外線により人体を効果的に温めることができるものとなる。従って、入浴者は良好な温感が得られるため、浴槽１の湯の温度は比較的低温であっても良く、そのため長時間の入浴においても、のぼせ等が生じることがなく、比較的低い温度の湯に浸かりながら、ゆったりとリラックスして入浴することができるものとなる。
【００１０】
なお、本例では、熱源としてハロゲン電球３を用いているが、このハロゲン電球３に代えて、市販のヒヨコ電球を使用しても良い。
また、集熱手段としての反射鏡４及びレンズ５，６ａは、何れか一方のみを設けたものであっても良く、また両者を設けた構成であっても良い。
【００１１】
次に、図４の平面図で、また図５の縦断面図で示すものは、第２実施例であり、容器体としての足浴器１１を例示している。
足浴器１１は、底片１１ａの外周で立ち上げられた外周立上片１１ｂにより、内部に湯を溜めることができるように構成されており、底片１１ａには、前記図３で示したような温熱装置２が２個設けられている。
【００１２】
また、外周立上片１１ｂの上面側には、操作スイッチ１１ｃが設けられている。この操作スイッチ１１ｃを操作することにより、温熱装置２から狭い範囲に集めた赤外線を放射することができ、図５に示すように、足Ｆを足浴器１１内に入れて、足裏のツボに赤外線を当て、良好にツボを温めることができ、ツボの周辺部分についても良好な温感が得られるものとなる。
【００１３】
次に、図６の平面図で、また図７の縦断面図で示すものは、容器体として洗面器１２を例示するものである。
洗面器１２の凹み状のボウル部１２ａの底側に、２個の温熱装置２，２が設けられており、温熱装置２，２は、ボウル部１２ａの底に開口された排水口１４ａの外側に設けておくことができるものである。また、洗面器１２の上面には水栓１３が設けられている。
このような洗面器１２のボウル部１２ａ内に湯を溜めておき、内部に手を入れて、手の甲のツボの部分に温熱装置２からの赤外線を当てて、手のツボを良好に温めることができるものである。
【００１４】
さらに図８の平面図で、また図９の縦断面構成図で示すものは、ガラス製等で全体が透明に形成された手洗器１５の、ボウル部１５ａの底側下方の排水口１６の外周に、ボウル部１５ａに穴を開けずに、ブラケット，天板，キャビネット壁面等に保持させて２個の温熱装置２，２を設けたものであり、本例においても、ボウル部１５ａ内に湯を溜めて、内部に手を入れ、温熱装置２からの赤外線により手の甲のツボ等を良好に温め刺激させて、良好なリラックス感を得られるものとなる。
【００１５】
【発明の効果】
本発明の温浴装置は、湯を溜めることができる容器体に、赤外線を発する熱源と、熱源からの赤外線を狭い範囲に集めて容器体内に放射し得る集熱手段を設けたことにより、熱源からの赤外線を集熱手段で良好に狭い範囲に集めて、容器体内の人体の一部に赤外線をスポット的に当てて、良好に人体の局部を温めることができるものとなる。
【００１６】
また、熱源が電球であり、集熱手段が反射鏡及び／またはレンズで構成されていることにより、安価な電球を用いて、この電球から発せられる赤外線を反射鏡またはレンズで集光させて、良好に人体の局部に赤外線を当てることができるものとなる。
【００１７】
また、容器体が、浴槽あるいは足浴器あるいは洗面器であることにより、浴槽においては入浴者の腰，肩などの局部に赤外線をスポット的に当てて、良好に局部を温めることができ、また、その局部の周辺部についても良好な温感が得られるものとなり、比較的低温度の湯につかりながら身体を温めることができ、長時間の入浴においても、のぼせ等が生じないものとなる。
また、足浴器あるいは洗面器においては、足または手のツボの部分に赤外線をスポット的に当てて、良好にこのツボを刺激し、良好なリラックス感が得られるものとなる。
【図面の簡単な説明】
【図１】浴槽の背面に温熱装置を設けた概略構成図である。
【図２】浴槽の側面に温熱装置を設けた概略構成図である。
【図３】温熱装置の拡大縦断面構成図である。
【図４】足浴器の平面構成図である。
【図５】図４の足浴器の縦断面構成図である。
【図６】洗面器の平面構成図である。
【図７】図６の洗面器の縦断面構成図である。
【図８】手洗器の平面構成図である。
【図９】図８の手洗器の縦断面構成図である。
【符号の説明】
１  浴槽
２  温熱装置
３  ハロゲン電球（熱源）
４  反射鏡（集熱手段）
５  電球レンズ
６  密閉ケース
６ａ  レンズ
７  パッキン
８  ナット
９  ケース蓋
１１  足浴器
１２  洗面器
１２ａ  ボウル部
１５  手洗器
１５ａ  ボウル部
【図１】
2004261529.tif 000003
【図２】
2004261529.tif 000004
【図３】
2004261529.tif 000005
【図４】
2004261529.tif 000006
【図５】
2004261529.tif 000007
【図６】
2004261529.tif 000008
【図７】
2004261529.tif 000009
【図８】
2004261529.tif 000010
【図９】
2004261529.tif 000011